(57)【要約】【課題】カメラモジュールとバイブモータを有する携帯通信端末装置において、新たな部品を加えずに効果的にカメラモジュール内の異物の影響を除去出来る。【解決手段】携帯通信端末装置１０は、カメラモジュールからなるカメラ部１１と、少なくとも着信報知を含む報知用振動を発生するバイブモータ１２を有している。制御部１３は、カメラ撮影時のプレビュー画像と、シャッター操作時の画像との比較により、カメラモジュール内の異物の有無を判定し、異物有りと判定した場合は、バイブモータ１２を所定時間振動させる。異物によるシミ、黒点等が画像に存在する場合は、振動により異物が移動し、その影響が除去される。【選択図】      図１
2008294712.tif 000002
【特許請求の範囲】
【請求項１】
カメラモジュールからなるカメラ部と、
少なくとも着信報知を含む報知用振動を発生するバイブモータと、
前記カメラ部を使用したカメラ撮影時のプレビュー画像と、シャッター操作時の画像との比較により、前記カメラモジュール内で画像に影響を与える異物の有無を判定し、異物有りと判定した場合は、前記バイブモータを所定時間振動させる制御部と、
を少なくとも備えたことを特徴とする携帯通信端末装置。
【請求項２】
前記異物を捕捉する粘着剤が、前記カメラモジュール内の所定箇所に塗布されていることを特徴とする請求項１記載の携帯通信端末装置。
【請求項３】
前記制御部は、前記プレビュー画面において、動きの無い画像が存在する場合に異物存在の可能性有りとして、そのプレビュー画像と前記シャッター操作時の画像とを比較し、前記異物の有無を判定することを特徴とする請求項１乃至２の何れか１つに記載の携帯通信端末装置。
【請求項４】
前記制御部は、異物存在の可能性が有る前記プレビュー画面における、動きの無い画像が存在する箇所を記憶し、前記シャッター操作時の画像における前記箇所とその周囲とで、所定以上のコントラスト差が有る場合に、異物有りと判定することを特徴とする請求項３記載の携帯通信端末装置。
【請求項５】
前記制御部は、前記カメラ部の起動時に、前記異物の有無を判定することを特徴とする請求項１乃至４の何れか１つに記載の携帯通信端末装置。
【請求項６】
異物検査用コマンドの入力手段を備え、前記制御部は、前記異物検査用コマンドの入力に応答して、前記カメラ部を起動させ、前記異物の有無を判定することを特徴とする請求項１乃至５の何れか１つに記載の携帯通信端末装置。
【請求項７】
カメラモジュールからなるカメラ部と、少なくとも着信報知を含む報知用振動を発生するバイブモータとを、少なくとも有する携帯通信端末装置におけるカメラ部混入異物除去方法であって、
カメラ撮影時のプレビュー画像と、シャッター操作時の画像との比較により、前記カメラモジュール内で画像に影響を与える異物の有無を判定し、
異物有りと判定した場合は、前記バイブモータを所定時間振動させる、
ことを特徴とする携帯通信端末装置におけるカメラ部混入異物除去方法。
【請求項８】
前記異物を捕捉する粘着剤が、前記カメラモジュール内の所定箇所に塗布されていることを特徴とする請求項７記載の携帯通信端末装置におけるカメラ部混入異物除去方法。
【請求項９】
前記プレビュー画面において、動きの無い画像が存在する場合に異物存在の可能性有りとして、そのプレビュー画像と前記シャッター操作時の画像とを比較し、前記異物の有無を判定することを特徴とする請求項７乃至８の何れか１つに記載の携帯通信端末装置におけるカメラ部混入異物除去方法。
【請求項１０】
異物存在の可能性が有る前記プレビュー画面における、動きの無い画像が存在する箇所を記憶し、前記シャッター操作時の画像における前記箇所とその周囲とで、所定以上のコントラスト差が有る場合に、異物有りと判定することを特徴とする請求項９記載の携帯通信端末装置におけるカメラ部混入異物除去方法。
【請求項１１】
前記カメラ部の起動時に、前記異物の有無を判定することを特徴とする請求項７乃至１０の何れか１つに記載の携帯通信端末装置におけるカメラ部混入異物除去方法。
【請求項１２】
異物検査用コマンドの入力に応答して、前記カメラ部を起動させ、前記異物の有無を判定することを特徴とする請求項７乃至１１の何れか１つに記載の携帯通信端末装置におけるカメラ部混入異物除去方法。
【発明の詳細な説明】
【技術分野】
【０００１】
本発明は、携帯通信端末装置、及び、携帯通信端末装置におけるカメラ部混入異物除去方法に関する。
【背景技術】
【０００２】
現在、携帯電話機に代表される携帯通信端末装置の多くには、カメラ機能が搭載されている。このカメラ機能を実現する為に、携帯通信端末装置に実装されるカメラモジュールの小型化に伴って、カメラモジュール内のセンサの画素ピッチは益々小さくなって来ている。それにより、以前では認識しなかった小さなサイズの異物までが、撮影時にシミ、黒点として現れ、悪影響を及ぼすようになってきた。
【０００３】
一方、カメラモジュール生産現場での異物進入の完全防止は困難である。通常、異物が混入しているカメラモジュールは生産工程で検出され除去されるが、検査では見つからない移動性の異物もあり、製品出荷後に異物発生が発覚する場合も有り得る。
【０００４】
通信機能を持たない（即ち、携帯通信端末装置ではない）撮影専用機であるデジタルカメラにおいて、異物検出機能を搭載する技術は、特開２００６−２０３６８８号公報（特許文献１）に開示されている。同様に、デジタルカメラにおいて、防塵フィルタに振動発生用の圧電素子を搭載する技術が特開２００７−１３８６７号公報（特許文献２）に開示されている。又、特開平１１−７４４９５号公報（特許文献３）には、ＣＣＤ（Ｃｈａｒｇｅ  Ｃｏｕｐｌｅｄ  Ｄｅｖｉｃｅ）等の個体撮像装置及びその製造方法が開示されている。
【０００５】
【特許文献１】特開２００６−２０３６８８号公報
【特許文献２】特開２００７−１３８６７号公報
【特許文献３】特開平１１−７４４９５号公報
【発明の開示】
【発明が解決しようとする課題】
【０００６】
以上説明したように、カメラ機能を有する携帯通信端末装置においては、製品出荷時の検査では発見出来ない異物がカメラモジュール内に存在し、ユーザーが製品購入後にその異物が移動してカメラ機能に悪影響を与えるようになった場合に、ユーザーはこれを除去する術を持たないという課題があった。
【０００７】
尚、背景技術で説明したような、携帯通信端末装置ではないデジタルカメラでは、通常は振動発生装置を備えていない為に、そのような装置を追加することはコストアップを招く。
【０００８】
本発明の目的は、上述した課題を解決する携帯通信端末装置、及び、携帯通信端末装置におけるカメラ部混入異物除去方法を提供することにある。
【課題を解決するための手段】
【０００９】
本発明の携帯通信端末装置は、カメラモジュールからなるカメラ部と、少なくとも着信報知を含む報知用振動を発生するバイブモータと、前記カメラ部を使用したカメラ撮影時のプレビュー画像と、シャッター操作時の画像との比較により、前記カメラモジュール内で画像に影響を与える異物の有無を判定し、異物有りと判定した場合は、前記バイブモータを所定時間振動させる制御部と、を少なくとも備えたことを特徴とする。
【００１０】
又、本発明の携帯通信端末装置において、前記異物を捕捉する粘着剤が、前記カメラモジュール内の所定箇所に塗布されていても良い。
【００１１】
又、本発明の携帯通信端末装置において、前記制御部は、前記プレビュー画面において、動きの無い画像が存在する場合に異物存在の可能性有りとして、そのプレビュー画像と前記シャッター操作時の画像とを比較し、前記異物の有無を判定するようにしても良い。
【００１２】
又、本発明の携帯通信端末装置において、前記制御部は、異物存在の可能性が有る前記プレビュー画面における、動きの無い画像が存在する箇所を記憶し、前記シャッター操作時の画像における前記箇所とその周囲とで、所定以上のコントラスト差が有る場合に、異物有りと判定するようにしても良い。
【００１３】
又、本発明の携帯通信端末装置において、前記制御部は、前記カメラ部の起動時に、前記異物の有無を判定するようにしても良い。
【００１４】
又、本発明の携帯通信端末装置において、異物検査用コマンドの入力手段を備え、前記制御部は、前記異物検査用コマンドの入力に応答して、前記カメラ部を起動させ、前記異物の有無を判定するようにしても良い。
【００１５】
本発明は、カメラモジュールからなるカメラ部と、少なくとも着信報知を含む報知用振動を発生するバイブモータとを、少なくとも有する携帯通信端末装置におけるカメラ部混入異物除去方法であって、カメラ撮影時のプレビュー画像と、シャッター操作時の画像との比較により、前記カメラモジュール内で画像に影響を与える異物の有無を判定し、異物有りと判定した場合は、前記バイブモータを所定時間振動させる、ことを特徴とする。
【００１６】
又、本発明の携帯通信端末装置におけるカメラ部混入異物除去方法において、前記異物を捕捉する粘着剤が、前記カメラモジュール内の所定箇所に塗布されていても良い。
【００１７】
又、本発明の携帯通信端末装置におけるカメラ部混入異物除去方法において、前記プレビュー画面において、動きの無い画像が存在する場合に異物存在の可能性有りとして、そのプレビュー画像と前記シャッター操作時の画像とを比較し、前記異物の有無を判定するようにしても良い。
【００１８】
又、本発明の携帯通信端末装置におけるカメラ部混入異物除去方法において、異物存在の可能性が有る前記プレビュー画面における、動きの無い画像が存在する箇所を記憶し、前記シャッター操作時の画像における前記箇所とその周囲とで、所定以上のコントラスト差が有る場合に、異物有りと判定するようにしても良い。
【００１９】
又、本発明の携帯通信端末装置におけるカメラ部混入異物除去方法において、前記カメラ部の起動時に、前記異物の有無を判定するようにしても良い。
【００２０】
又、本発明の携帯通信端末装置におけるカメラ部混入異物除去方法において、異物検査用コマンドの入力に応答して、前記カメラ部を起動させ、前記異物の有無を判定するようにしても良い。
【発明の効果】
【００２１】
本発明は、カメラモジュールによるカメラ機能及びバイブモータによる振動報知機能を備えた携帯通信端末装置において、製品出荷時の検査では発見出来ない異物がカメラモジュール内に存在し、ユーザー使用時にその異物によりカメラ機能にシミ、黒点等の悪影響が発生しても、それを除去出来るという効果を有している。その理由は、携帯通信端末装置が、カメラ撮影時のプレビュー画像と、シャッター操作時の画像との比較により、カメラモジュール内で画像に影響を与える異物の有無を判定し、異物有りと判定した場合は、バイブモータを所定時間振動させて異物の移動を促すためである。
【００２２】
又、近年の携帯通信端末装置に着信報知用として通常搭載されているバイブモータの振動を利用する事で、カメラモジュール側での特異なカスタム化や、異物除去の為の新たな部品を搭載する必要も無く、余計なコストが発生しない。
【発明を実施するための最良の形態】
【００２３】
次に、本発明を実施するための最良の形態について図面を参照して詳細に説明する。図１は、本発明の一実施例の携帯通信端末装置の構成を示す機能ブロック図である。
【００２４】
携帯通信端末装置１０は、カメラ部１１と、バイブモータ１２と、制御部１３と、操作部１４と、表示部１５と、メモリ部１６とを備えている。同図においては、本発明に関連する機能ブロックのみを示しており、携帯通信端末装置として通常備えている機能（無線通話機能、回線接続機能等）に関する機能ブロックは省略している。
【００２５】
カメラ部１１は、後述のようにカメラモジュールで構成され、撮影した画像を内部で処理後、処理した画像データを制御部１３へ出力する。バイブモータ１２は、制御部１３からの制御信号により、振動を発生する。近年の携帯通信端末装置においては、着信時やアラーム通知時に振動を発生してユーザーに報知する機能が良く知られている。本実施例においては、そのような報知機能に使用されるバイブモータ１２の振動を、異物検出時に異物の除去の為にも使用する。
【００２６】
制御部１３は、携帯通信端末装置１０全体の動作を司る制御手段である。例えば、制御部１３は、カメラ部１１から画像データを受け取り、その画像データの検査や、メモリ部１６への保存を行う。操作部１４は、ユーザーが操作するキーボタン等の入力手段であり、ユーザーが入力した信号を制御部１３へ出力する。表示部１５は、カメラ部１１での撮影時のカメラプレビュー画像出力等の画像や、ユーザーへ通知する情報等を表示する。この表示部１５は、例えば、液晶表示装置で構成される。メモリ部１６は、制御部１３から受け取った画像の保存やカメラプレビュー画の一時保存を行う。
【００２７】
カメラ部１１は、図２に示すようなカメラモジュールで構成されている。図２は、本発明の一実施例におけるカメラモジュールの構成を示す図である。同図を参照すると、このカメラモジュールは、レンズ１１０と、赤外線カットフィルタ（ＩｒＣＦ）１１１と、センサ１１２と、基板１１３と、デジタルシグナルプロセッサ（ＤＳＰ）１１４と、粘着剤１１５とを含み構成されている。カメラ部１１において、レンズ１１０、ＩｒＣＦ１１１を通過してセンサ１１２が検出することにより撮影された画像は、基板１１３上のＤＳＰ１１４にて処理されて出力され、その画像データが外部（前述の制御部１３）へ出力される。
【００２８】
ＩｒＣＦ１１１上面の周囲とセンサ１１２周囲（基板上面）との２箇所には、粘着剤１１５が塗布されている。ＩｒＣＦ１１１上やセンサ１１２上に侵入して、撮影画像のシミ、黒点等の原因となる異物が、このカメラモジュール内に存在した場合に、その異物が粘着剤１１５に接触するとその粘着力により貼り付いて移動出来なくなる。従って、このような異物があっても、粘着剤１１５に一旦接触させてしまえば、撮影画像のシミ、黒点の原因を除去出来る。本実施例においては、後に詳述するように、バイブモータ１２の振動により異物を移動させ、粘着剤１１５に貼り付かせるようにしている。これにより、その後に携帯通信端末装置１０に衝撃等が加わっても、異物は再度移動出来ず、再びシミ、黒点を発生させない。
【００２９】
図３は、本発明の一実施例におけるカメラ部とバイブモータとの実装配置関係のイメージを示す図である。折り畳み型の携帯通信端末装置１０の例を示しており、表示部１５が設けられた方の上側筐体と、操作部１４が設けられた方の下側筐体とが、ヒンジ部によって折り畳み自在に連結されている。同図の例では、カメラ部１１に振動が出来るだけ伝わり易い様に、カメラ部１１の裏側直近にバイブモータ１２が内蔵して配置されている。
【００３０】
次に、本発明を実施するための最良の形態の動作について図面を参照して説明する。図４は、本発明の一実施例の動作を説明するフローチャートである。まず、ユーザーは、通常の撮影を実行（カメラモード）する為に、携帯通信端末装置１０のカメラ機能を起動（ステップＳ１０１）させる。カメラ機能が起動すると、カメラ部１１で捉えた画像が制御部１３に入力され、この画像は表示部１５によりプレビュー画面表示される（ステップＳ１０２）。
【００３１】
次に、制御部１３は、カメラ機能のプレビュー画像を、メモリ部１６に保存していく（ステップＳ１０３）。ここで、制御部１３は、取り込んだプレビュー画像に対してサーチを行い、シミ、黒点の可能性のある表示の有無を検出する。具体的には、制御部１３は、画面の動作に対し動いていない画像（即ち、プレビュー画像が動いているのに、画面内で同じ場所に変化せずに止って存在しているもの）を、シミ、黒点の可能性の有る（即ち、画像に影響を与える異物存在の可能性が有る）ものとして検出する（ステップＳ１０４）。
【００３２】
ステップＳ１０４において、シミ、黒点の可能性が検出されない場合は、ステップＳ１０５に進み、通常の撮影動作が行われる。即ち、ユーザーは、プレビュー画像を見て構図を決め、携帯通信端末装置１０のシャッターボタン（図示せず）を押下する（ステップＳ１０５）。制御部１３は、カメラ部１１が撮影した画像を、メモリ部１６に保存する（ステップＳ１０６）。その後、再度カメラ起動が行なわれ（ステップＳ１０７）、プレビュー画像が再度表示される（ステップＳ１０８）。
【００３３】
一方、ステップＳ１０４において、プレビュー画像の検査時にシミ、黒点の可能性が有る表示を検出した場合は、ステップＳ１０９に進む。ステップＳ１０９において、制御部１３は、センサエリアに対しチェックの為にその表示の箇所を一旦記憶しておく。その後、ユーザーは撮影の為にシャッター（図示せず）を押下等で操作する（ステップＳ１１０）。制御部１３は、撮影画像をメモリ部１６に一時保存し、その際に（ステップＳ１１１）、シミ、黒点の有無の判定を行う（ステップＳ１１２）。具体的には、このステップＳ１１２において制御部１３は、その撮影画像における、事前検出（ステップＳ１０４）にてシミ、黒点の可能性有りとして記憶していた箇所について、その周囲の画素とのコントラスト差をチェックする。制御部１３は、このコントラスト差に、予め設定された所定の閾値以上の差があった場合には、異物によるシミ又は黒点が有ると判断し、処理をステップＳ１１６へ進める。
【００３４】
処理がステップＳ１１６へ進んだ場合に、制御部１３は、一時保存した撮影画像を廃棄し、異物によるシミ、黒点が検出された事を表示部１５へ表示して、ユーザーへアラームを与える（ステップＳ１１６）。そして、制御部１３は、撮影範囲内（画角内）の異物を除去する為にバイブモータ１２に制御信号を出力し、バイブモータ１２を一定時間振動させる（ステップＳ１１７）。その後、制御部１３は、再度カメラ部１１を起動させ（ステップＳ１１８）、プレビュー表示を開始する（ステップＳ１１９）。シミ、黒点の原因が、カメラモジュール内の異物である場合には、バイブモータ１２が一定時間振動することで、その異物がセンサ１１２の検知範囲外に移動して粘着剤１１５に捕捉されると、シミ、黒点が消滅する。
【００３５】
尚、ステップＳ１１２において、撮影画像検査時にシミ、黒点が検出されなかった場合は、ステップＳ１１３に進んで、制御部１３は通常通りに撮影画像をメモリ部１６に保存する。その後、制御部１３は、再度カメラ部１１を起動し（ステップＳ１１４）、プレビュー表示を行う（ステップＳ１１５）。
【００３６】
次に、本発明の他の実施例について説明する。この他の実施例においては、構成は上述の実施例と同じであるが、動作が異なる。即ち、図４で説明した動作は、ユーザーがカメラ機能を使用しての通常の撮影時（カメラモード）にシミ、黒点を検出し、それの原因となる異物を除去する動作である。しかしながら、他の実施例においては、通常のカメラモードとは別に、異物検査モードとして異物有無の検査を実施する事を可能としている。
【００３７】
本実施例においては、異物検査モードを起動するコマンドが予め割り当てられてある。このコマンドの入力手段としては、例えば、携帯通信端末装置１０の操作部１４に、異物検査モードをダイレクトに起動させる異物検査ボタンを設けても良い。或いは、操作部１４のユーザー操作によるメニュー画面により、異物検査モードを起動するようにしても良い。
【００３８】
ユーザーが異物検査ボタンを押下する等で異物検査モードを起動させると（ステップＳ２０１）、制御部１３はカメラ部１１を起動させる（ステップＳ２０２）。続くステップＳ２０３において、制御部１３は、シミ、黒点を検出し易くする為に、表示部１５にユーザーへの指示を表示する（ステップＳ２０３）。具体的には、紙等の白い被写体を相対的に動きがあるようにカメラ部１１で捉え、プレビュー表示画面が白一面にさせるように要求する。この時に、被写体側を動かしても、携帯端末装置１０側を動かしても、どちらでも良い。
【００３９】
次に、制御部１３は、プレビュー画像を取り込み、その中で動いていない画像の有無を検査する（ステップＳ２０４）。このステップＳ２０４において、特にそのような画像が検出されなければ、処理は終了する（ステップＳ２０４の「無し」）。
【００４０】
ステップＳ２０４において、動きのない被写体画像の存在が検出された場合は、制御部１３は、処理をステップＳ２０５に進める。ステップＳ２０５において、制御部１３は、ユーザーにシャッターボタンを押下する指示を、表示部１５に表示する。ユーザーがシャッターボタンを押下すると、制御部１３は、撮影画像をメモリ１６に保存する（ステップＳ２０６）。次に制御部１３は、ステップＳ２０７において、シミ、黒点の有無を判定する。このステップＳ２０７における判定の方法は、図４のステップＳ１１２と同じで良い。シミ、黒点が検出されない場合は（ステップＳ２０７の「無し」）、そのまま処理を終了する。
一方、シミ、黒点が検出された場合は（ステップＳ２０７の「有り」）、制御部１３は、表示部１５に異物検出のアラームを表示してユーザーに通知し（ステップＳ２０８）、更に、バイブモータ１２に制御信号を出力して一定時間振動させる（ステップＳ２０９）。その後、制御部１３は、処理をステップＳ２０１に戻し、再度カメラ起動から実行する。
【００４１】
本実施例においては、独立した異物検査モードを設ける事で、撮影時以外であっても、検出し難いレベルのシミ、黒点を容易に検出、除去する事が出来る。
【００４２】
以上説明したように、本発明の各実施例によれば、最も多いカメラモジュールの不良の１つとして考えられる、異物によるシミ、黒点を、プレビュー画像とシャッター操作時の画像とから検出し、必要ならバイブモータの振動を加える事で、カメラモジュール内部の異物を移動させ、シミ、黒点を解消する事が出来る。更に、振動により一度移動させた異物を粘着剤によってキャッチする事で、携帯通信端末装置に与えられた衝撃等により、異物が再度移動してシミ、黒点の原因となってしまう事態を防ぐ事が出来る。
【００４３】
又、近年の携帯通信端末装置に少なくとも着信報知用として通常搭載されているバイブモータの振動を利用する事で、カメラモジュール側での特異なカスタム化や、異物除去の為の新たな部品を搭載する必要も無く、余計なコストも発生しない。
【００４４】
又、シミ、黒点の閾値をユーザーが通常使用する場合に気づかない程度のレベルに設定しておく事で、誤検出の発生を抑える事が可能となる。又、プレビュー画像で異物の可能性が検出された場合でも、シャッター操作時の撮影画像で最終判断をする為、被写体によりシミ、黒点が隠れてしまう物は検出しない様にする事が可能となる。
【００４５】
尚、本発明は上述の実施例のみに限定されるものではなく、本発明の要旨を逸脱しない範囲で種々変形して実施することが出来る。
【図面の簡単な説明】
【００４６】
【図１】本発明の一実施例の携帯通信端末装置の構成を示す機能ブロック図である。
【図２】本発明の一実施例におけるカメラモジュールの構成を示す図である。
【図３】本発明の一実施例におけるカメラ部とバイブモータとの実装配置関係のイメージを示す図である。
【図４】本発明の一実施例の動作を説明するフローチャートである。
【図５】本発明の他の実施例の動作を説明するフローチャートである。
【符号の説明】
【００４７】
１０    携帯通信端末装置
１１    カメラ部
１２    バイブモータ
１３    制御部
１４    操作部
１５    表示部
１６    メモリ部
１１０    レンズ
１１１    ＩｒＣＦ
１１２    センサ
１１３    基板
１１４    ＤＳＰ
１１５    粘着剤
【図１】
2008294712.tif 000003
【図２】
2008294712.tif 000004
【図３】
2008294712.tif 000005
【図４】
2008294712.tif 000006
【図５】
2008294712.tif 000007